(57)【特許請求の範囲】
【請求項１】
糊付ローラによってシート状の壁装材の裏面に糊液を塗布する壁紙糊付機本体に導入される前の壁装材の搬送方向側縁部を搬送方向に沿って裁断する壁紙糊付機用スリッターであって、
前記壁装材の表面側又は裏面側で搬送方向に直交し、壁装材面に平行する位置に配された断面が円形の駆動軸と、
該駆動軸上に軸止された壁装材裁断用回転刃と、
前記壁装材を介した対向面側で前記駆動軸と略平行に配された取付軸と、
該取付軸に回動自在に軸支された筒状の回転部材とを備え、
前記回転部材が、
前記回転刃による壁装材裁断点を端部とした前記回転刃の周縁部との部分的な重なり領域で前記回転刃に押圧される平坦面部と、
前記回転刃による裁断点に前記壁装材を導く周壁部とを備えた壁紙糊付機用スリッターにおいて、
前記駆動軸が貫通する貫通丸孔に対して垂直に前記回転刃を保持する取付けボスと、
該取付けボスの貫通丸孔に内輪軸径が縮径するカムクラッチと
を備え、
前記カムクラッチは、一方向の回転力のみを伝達するワンウェイクラッチであり、空転方向では、断面が円形の駆動軸の軸心を中心にして同心円状に側壁に並べられた多数のカムが駆動軸の回転を流し、トルク発生方向への回転に際しては、同じ断面形状を備えた多数のカムが同じように内輪側に立ち上がることにより、内輪の軸径が縮径することにより、前記多数のカムがチャックとして働いて、駆動軸の回転が外輪に伝達するものであり、
前記駆動軸に、内輪軸径が縮径するカムクラッチを介して取付けボスが装着されていることを特徴とする壁紙糊付機用スリッター。
【請求項２】
前記回転刃と取付けボスとを覆うボックス本体部と、スリッターの糊付機側壁面に形成されたスリット溝内に挿通される固定部材と、この固定部材をボックス本体部の対向壁面とで前記スリット溝縁を挟み込んで固定するネジ機構とを備えたカッターボックスを備え、
前記固定部材がカッターボックスの糊付機側壁面の全幅に亘る長さであることを特徴とする請求項１に記載の壁紙糊付機用スリッター。
【請求項３】
請求項１又は２に記載の壁紙糊付機用スリッターを備えたことを特徴とする壁紙糊付機。
【発明の詳細な説明】
【技術分野】
【０００１】
本発明は、壁紙糊付機で壁装材に糊を塗布する際に事前に壁装材の側部を裁断する壁紙糊付機用スリッターに関し、このスリッターを備えた壁紙糊付機に関するものである。
【背景技術】
【０００２】
現在、建築物の内装施工における壁装材の室内壁面への貼付は、内部に複数のローラが配置された上部構体及び下部構体から構成される糊付機本体を支持脚部上に載置し、上下構体の間に挟み込んだシート状壁装材（以下、「クロス」とも記す）をローラで搬送しながら、下部構体の糊桶から糊をローラで糊上げ、壁装材裏面に転写塗布する壁紙糊付機を用いてシート状の壁装材に連続的に糊を塗布しながら行うのが一般的となっている。
【０００３】
このような壁紙糊付機には手動式と自動式とがあるが、現在では、糊付機本体に着脱自在のコントローラにモーター等の駆動機構を搭載し、その回転軸を糊付ローラ回転軸に連結して電動で回転させると共にギア形を解して他のローラも連動させ、連続的に安定して糊付作業を行わせる自動壁紙糊付機の方が主流となっている。
【０００４】
また、自動壁紙糊付機の背面に取付けるクロスの裏面への糊付の前にクロスの耳部をカットしてクロスを所定の幅にした上で糊付させる壁紙糊付機用スリッター単体やこの壁紙糊付機用スリッターを付属させた自動壁紙糊付機も販売されている。
【０００５】
この壁紙糊付機に装着されるスリッターとしては、長手方向に搬送されるクロスを上下２枚の回転刃で挟み切る方式のものと、１枚の回転刃を高速に回転させて切る方式のものとが市販されている。上下２枚の回転刃で挟み切るものでは、高速な回転が不要であるため、取付けられる壁紙糊付機のローラの駆動によって回転させるものが主であり、１枚の回転刃を高速に回転させて切断するものでは、回転刃を駆動させる専用のモーターを備え、しかも、安全性・メンテナンス性等を考慮して回転刃とモーターと回転刃をカバーするハウジングとを１つの着脱自在のユニットにしている（例えば、特許文献１参照）。
【０００６】
また、１枚の回転刃を高速に回転させて切る方式のものについて、回転速度を徐々に落とした場合に裁断面がどのように推移するかを検証してみた。その結果、毎分５００回転程度であれば、布繊維を含む厚い壁装材であっても毛羽立ちやホツレがなく良好な裁断状態を得ることができることが判った。
【０００７】
更なる低速、毎分３６０回転よりも小さければ、回転刃の回転駆動に専用のモーターを採用せずとも、取付けられる壁紙糊付機の糊付けローラを駆動する駆動源を用いて回転させることが可能となる。このため、低速でも良好な裁断状態を得るために回転刃の形状の工夫を行い、比較的低速で回転する１枚の回転刃であっても良好な裁断状態を得ることができる回転刃を備えた壁紙糊付機用スリッターを得るに至った（特許文献２参照）。
【０００８】
この特許文献２に示したスリッターは、壁紙糊付機本体の糊付機ローラを駆動する駆動源からギアを介して駆動される駆動軸の回転によって回転刃を回転させる。この駆動軸は左右の回転刃を収めた各々のカッターボックスを貫通して配されている。切断する壁装材の幅に応じて位置を変更するため、駆動軸を正六角形状の断面とし、左右のカッターボックスは、この正六角形状の断面に嵌合する回転刃の取付軸を納め、駆動軸上を移動する構成としている。
【先行技術文献】
【特許文献】
【０００９】
【特許文献１】特開２００３−８０４９１号公報
【特許文献２】特開２０１０−２５３６５３号公報
【発明の概要】
【発明が解決しようとする課題】
【００１０】
しかしながら、壁装材の良好な裁断状態を得るためには、回転刃のブレを極力少なくするために、回転刃の回転中心が駆動軸線と一致させる必要があった。このため、スリッターの全幅方向に亘って架け渡された駆動軸の正六角形の加工を、撓むことが少ない材料を選択し、精密な加工を施されなければならない。加えて、駆動軸が嵌合するために回転刃の取付軸に正六角形の穴加工を精密に加工されなければならず、このため、高額な製品にならざるを得なかった。
【００１１】
また、回転刃はカッターボックス内に装着されているが、回転刃の切断面の回転軸線方向のブレを解消させるために切断点を含む重なり領域で回転刃周縁部の刃面を裏面から支持する回転部材もカッターボックス内に装着されている。このカッターボックスは壁装材の切断幅に応じてスリッターの幅方向に移動させ、任意の位置に固定される。この際に、カッターボックスがスリッター本体にしっかりと固定されず、結果的に回転部材が回転刃周縁部に対して、必要以上に斜めに当接されることにより、回転刃の切断面の回転軸線方向のブレを生じさせることがあった。
【００１２】
本発明は、スリッターの全幅方向に亘って架け渡された駆動軸の精密加工を容易とし、回転刃の回転中心が駆動軸線と一致させることができ、回転刃のブレが少ないスリッターを安価に製造することを目的とする。また、カッターボックスがスリッター本体にしっかりと固定されて、回転刃の切断面の回転軸線方向のブレを生じさせないスリッターを得ることを別の目的とする。
【課題を解決するための手段】
【００１３】
請求項１に記載された発明に係る壁紙糊付機用スリッターは、糊付ローラによってシート状の壁装材の裏面に糊液を塗布する壁紙糊付機本体に導入される前の壁装材の搬送方向側縁部を搬送方向に沿って裁断する壁紙糊付機用スリッターであって、
前記壁装材の表面側又は裏面側で搬送方向に直交し、壁装材面に平行する位置に配された断面が円形の駆動軸と、
該駆動軸上に軸止された壁装材裁断用回転刃と、
前記壁装材を介した対向面側で前記駆動軸と略平行に配された取付軸と、
該取付軸に回動自在に軸支された筒状の回転部材とを備え、
前記回転部材が、
前記回転刃による壁装材裁断点を端部とした前記回転刃の周縁部との部分的な重なり領域で前記回転刃に押圧される平坦面部と、
前記回転刃による裁断点に前記壁装材を導く周壁部とを備えた壁紙糊付機用スリッターにおいて、
前記駆動軸が貫通する貫通丸孔に対して垂直に前記回転刃を保持する取付けボスと、
該取付けボスの貫通丸孔に内輪軸径が縮径するカムクラッチと
を備え、
前記カムクラッチは、一方向の回転力のみを伝達するワンウェイクラッチであり、空転方向では、断面が円形の駆動軸の軸心を中心にして同心円状に側壁に並べられた多数のカムが駆動軸の回転を流し、トルク発生方向への回転に際しては、同じ断面形状を備えた多数のカムが同じように内輪側に立ち上がることにより、内輪の軸径が縮径することにより、前記多数のカムがチャックとして働いて、駆動軸の回転が外輪に伝達するものであり、
前記駆動軸に、内輪軸径が縮径するカムクラッチを介して取付けボスが装着されていることを特徴とするものである。
【００１４】
請求項２に記載された発明に係る壁紙糊付機用スリッターは、請求項１に記載の回転刃と取付けボスとを覆うボックス本体部と、スリッターの糊付機側壁面に形成されたスリット溝内に挿通される固定部材と、この固定部材をボックス本体部の対向壁面とで前記スリット溝縁を挟み込んで固定するネジ機構とを備えたカッターボックスを備え、
前記固定部材がカッターボックスの糊付機側壁面の全幅に亘る長さであることを特徴とするものである。
【００１６】
請求項３に記載された発明に係る壁紙糊付機は、請求項１又は２に記載の壁紙糊付機用スリッターを備えたことを特徴とするものである。
【発明の効果】
【００１７】
本発明は、スリッターの全幅方向に亘って架け渡された駆動軸の精密加工が容易となり、安価に、回転刃の回転中心が駆動軸線と一致させることができ、回転刃のブレが少ないという効果がある。また、カッターボックスがスリッター本体にしっかりと固定されて、回転刃の切断面の回転軸線方向のブレを生じさせないという効果がある。
【図面の簡単な説明】
【００１８】
【図１】本発明の一実施例のスリッターを備えた壁紙糊付機の側面図である。
【図２】テンションバー群の構成を含む一部を切欠いた背面側斜視図である。
【図３】スリッターのカッターボックスの構成を示す説明図である。
【図４】図３のカッターボックスの一部を除いた状態の構成を示す説明図である。
【図５】図３のカッターボックスの更に一部を除いた状態の構成を示す説明図である。
【図６】図３のカッターボックスの更に一部を除いた状態の構成を示す説明図である。
【図７】図３の回転刃を含む要部の説明図である。
【図８】駆動軸の駆動を回転刃に伝達するカムクラッチの駆動の状態を示す説明図である。
【発明を実施するための形態】
【００１９】
本発明においては、壁装材の表面側又は裏面側で搬送方向に直交し、壁装材面に平行する位置に配された駆動軸と、該駆動軸上に軸止された壁装材裁断用回転刃と、前記壁装材を介した対向面側で前記駆動軸と略平行に配された取付軸と、該取付軸に回動自在に軸支された筒状の回転部材とを備え、この回転部材が、回転刃による壁装材裁断点を端部とした回転刃の周縁部との部分的な重なり領域で回転刃に押圧される平坦面部と、回転刃のによる裁断点に前記壁装材を導く周壁部とを備えた壁紙糊付機用スリッターにおいて、駆動軸が貫通する貫通丸孔に対して垂直に前記回転刃を保持する取付けボスと、該取付けボスの貫通丸孔に内輪軸径が縮径するカムクラッチとを備え、駆動軸に内輪軸径が縮径するカムクラッチを介して取付けボスが装着されているため、スリッターの全幅方向に亘って架け渡された駆動軸の精密加工を容易に回転刃の回転中心が駆動軸線と一致させることができ、回転刃のブレが少なくなり、尚且つ、安価に製造することができる。
【００２０】
本発明のカムクラッチとしては、一方向の回転力のみを伝達するワンウェイクラッチであって、駆動軸を軸支する内輪軸径が縮径するものであればよく、例えば、空転方向では、断面が円形の駆動軸の軸心を中心にして同心円状に側壁に並べられた多数のカムが駆動軸の回転を流し、トルク発生方向への回転に際しては、同じ断面形状を備えた多数のカムが同じように内輪側に立ち上がることにより、内輪の軸径が縮径することにより、駆動軸の回転が外輪に伝達するものであればよい。この際、軸心が回転軸と一致するため、カムクラッチを介して配置された回転刃の回転にブレがなくなる。
【００２１】
本発明の駆動軸としては、スリッターの全幅方向に亘って架け渡された駆動軸の正六角形の加工を施す必要がなく、尚且つ、カムクラッチによって、内輪軸径が縮径するため、好ましくは断面が円形であるものが、加工も容易で安価に製造することができる。また、本発明の駆動軸は、回転刃毎に個別の駆動源と共に設置されても良いが、カッターボックスに保持された各々の回転刃を、取付けられる壁紙糊付機本体部の一側壁に装着されるコントローラ（図示せず）内に内蔵され、各ローラを駆動する駆動源からギアを介して得る一つの駆動軸で回転させても良い。
【００２２】
本発明の回転刃としては、壁装材の搬送方向に直交する位置に配された駆動軸に軸支される。裁断される壁装材の裁断小口部により高い直線性及び平滑性を得るため、この回転刃は肉薄の片切刃とする。即ち、片切刃とすることにより、より高い裁断小口部の直線性を得る。刃の厚さは、薄ければ薄いほどより高い裁断小口部の平滑性を得ることが可能であるが、逆に回転刃の寿命が短くなる。従って、好ましくは、０．３〜１．０mm厚が好ましく、０．５mm厚がより好ましい。
【００２３】
本発明の回転部材としては、壁装材の裁断点で回転刃の刃部に沿って前記壁装材面を一定高さ位置に保持する周壁部を有するものであればよい。従って筒状の周壁部を有する回転部材であればよい。しかも、この回転部材は、切断地点を端部とした回転刃の周縁部との部分的な重なり領域で回転刃に押圧される平坦面部とを有し、壁装材を介した対向面側でシャフトと平行に配された取付軸に回動自在に軸線が軸支されているため、回転部材と回転刃との間隙が実質的になく、高い裁断小口部の直線性及び平滑性を得ることができる。尚、取付軸は壁装材を介した対向面側でシャフトと実質的に平行に配されるが、より好ましくは回転刃に対して回転部材の平坦面が角度を持って当接するように数度、具体的には、０〜４度傾けて配することにより、確実な壁装材の裁断効果が得られる。
【００２４】
また、回転刃の切断面の回転軸線方向のブレを防止するために、回転刃を内部に保持するカッターボックス自体をスリッター本体にしっかりと固定する。具体的には、回転刃と取付けボスとを覆うボックス本体部と、スリッターの糊付機側壁面に形成されたスリット溝内に挿通される固定部材と、この固定部材をボックス本体部の対向壁面とで前記スリット溝縁を挟み込んで固定するネジ機構とを備えたカッターボックスを備え、
前記固定部材がカッターボックスの糊付機側壁面の全幅に亘る長さとする。
【００２５】
別の本発明においては、壁装材の表面側又は裏面側で搬送方向に直交し、壁装材面に平行する位置に配された駆動軸と、該駆動軸上に軸止された壁装材裁断用回転刃と、前記壁装材を介した対向面側で前記駆動軸と略平行に配された取付軸と、該取付軸に回動自在に軸支された筒状の回転部材とを備え、回転部材が、前記回転刃による壁装材裁断点を端部とした回転刃の周縁部との部分的な重なり領域で回転刃に押圧される平坦面部と、回転刃のによる裁断点に壁装材を導く周壁部とを備えた壁紙糊付機用スリッターにおいて、
回転刃と取付けボスとを覆うボックス本体部と、スリッターの糊付機側壁面に形成されたスリット溝内に挿通される固定部材と、この固定部材をボックス本体部の対向壁面とで前記スリット溝縁を挟み込んで固定するネジ機構とを備えたカッターボックスを備え、
前記固定部材がカッターボックスの糊付機側壁面の全幅に亘る長さであるため、カッターボックスがしっかりとスリッター本体に装着されるため、回転刃のブレが少ないスリッターを得ることができる。
【実施例】
【００２６】
１．全体構成
図１は本発明の一実施例のスリッターを備えた壁紙糊付機の側面図である。図２はテンションバー群の構成を含む一部を切欠いた背面側斜視図である。図３は図１に示したスリッターの要部であるカッターボックスの構成を示す説明図である。図４は図３のカッターボックスの一部を除いた状態の構成を示す説明図である。図５は図３のカッターボックスの更に一部を除いた状態の構成を示す説明図である。図６は図３のカッターボックスの更に一部を除いた状態の構成を示す説明図である。図７は図３の回転刃を含む要部の説明図である。図８は駆動軸の駆動を回転刃に伝達するカムクラッチの駆動の状態を示す説明図である。
【００２７】
図１及び図２に示す通り、この壁紙糊付機は、糊付機本体１と、この糊付機本体１が載置される台座部１５と、糊付機本体１を所定高さで支持するために台座部１５の左右両端下部にそれぞれ前後に二本一対で配される前脚２１と後脚２２とで構成される脚部２とを備える。また、本体１と台座部１５とは、糊付機本体１の両側壁下方の２箇所のフックに各々掛止される掛止錠（パチン錠）で固定される。
【００２８】
糊付機本体１は、糊桶５を主とする下部構体３とその上に開閉可能に載置される上部構体４とによって構成される。下部構体３の一方の側板にはコントローラ（図示せず）が装着され、下部構体３の後面側には着脱可能にスリッター７が配され、上部構体４はこの下部構体３の上部を覆うように配されている。
【００２９】
糊付機の各ローラは、コントローラ内の駆動源（図示せず）の駆動軸によって駆動される。例えば、糊付けローラ３１の回転に伴って、ギアを介して回転運動が伝達された他のローラも回転し、上下部構体３，４間に挟み込まれているクロスＣを後方から前方へ搬送し、その途中で糊付けローラ３１上を搬送される際に糊桶５から引き上げられた糊がクロス裏面に転写塗布される。
【００３０】
この糊付けローラ３１は、下部構体３の左右両側壁面の軸支板に軸支され、できるだけ糊桶５内に沈む下方位置の配置となるように構成されている。また、糊桶５内の糊は糊付けローラ３１に当接する糊上げローラ５１によって行われ、糊上げローラ５１は糊桶５の両側側面に中心より後面側寄りの位置で軸支され、糊桶５内の糊を回転によって掻き上げて糊付けローラ３１に転写する。
【００３１】
糊付けローラ３１は、糊付機本体１に着脱自在に取付けられる駆動源である電動モータを備えたコントローラの駆動軸に連結されている。糊付けローラ３１の回転軸は、下部構体３に配置される下ピンチローラ３２、ドクターローラ３３、均しローラ３４及び上部構体４に配置される検尺ローラとして用いられる上ピンチローラ４１、押さえローラ４２、ドライブローラ４３のうちの所定ローラの回転軸とギアを介して連動される。
【００３２】
均しローラ３４には、図１に示す通り、均しローラ３４を介して送られて来る糊付済のクロスＣを糊付機本体１の前面に案内するためにツメステーに略均等に長手方向に装着されたの複数個のツメ５３が取付けられている。
【００３３】
尚、壁紙糊付機の両側部には、ドクターローラ３３の回動軸に偏心して固定された偏心ギアを駆動するレバー３９を備え、このレバー３９により偏心ギアによって保持されたドクターローラ３３の軸端が糊付けローラ３１と相対移動され、ドクターローラ３３と糊付けローラ３１との相対間隔が変化して、糊付けローラ３１に付着する糊量を調整できるようになっている。
【００３４】
左右一対の脚部２には、クロス受けブラケット２５が回動自在に配されており、クロス受けブラケット２５の先端部には、原反ロールの中心に通されたクロス芯棒２６が軸支されている。
【００３５】
２．テンションバー群構造
図１及び図２に示す通り、原反ロールから繰り出されるクロスＣは、後脚２２間に脚部テンションバー２８を経て、スリッター７の下方に設置された第１テンションバー６１と第２テンションバー６５とを備えたテンションバー群６で曲折されながら、スリッター７に搬送され、クロスの両側部が切断される。更に、クロスＣをスリッターのガイド面部７２に押し付けるスリッターテンションバー７４によってもテンションがかけられる。
【００３６】
脚部テンションバー２８の装着は、後方に向かって斜め下方に形成されたＵ字溝とその中央に突設された案内突条とが形成された脚部テンションバー保持部２７が後脚２２の対向する各々の位置に形成されており、脚部テンションバー２８の両端に形成された案内溝を案内突条に嵌挿して装着する。この脚部テンションバー２８により、テンションバー群６のみではクロスＣに良好なテンションをかけられない場合でも良好なテンションをかけることが可能となる。
【００３７】
テンションバー群６の第１テンションバー６１は、スリッター７の下方の台座部１５の後面の両側に配設された一対のテンションバー保持具６０の各々に保持される一対の円管部と６２、これら一対の円管部６２の内側に段違い状に配された第１テンション部６３と、一対の円管部６２とテンション部６３とを連結する一対の連結板６４からなる。
【００３８】
テンションバー群６の第２テンションバー６５は、第１テンションバー６１のテンション部６３の両端に着脱可能に装着する一対の装着部６６と、これら装着部６６の間に配され第１テンションバー６１の円管部６２と同一軸線上に配設可能な第２テンション部６７とからなる。
【００３９】
一対の装着部６６は、先端部が開放され、第１テンションバー６１のテンション部６３が嵌合する内径を有する長孔状の溝である。これにより、クロスＣを装着するには、一旦第２テンションバー６５を取り外しておき、脚部テンションバー２８，第１テンションバー６１、スリッターテンションバー７４を装着させた後に、糊付機１後方からクロスＣを押付ながら、第２テンションバー６５の装着部６６を第１テンションバー６１のテンション部６３に装着することにより、簡便な操作で装着することができる。
【００４０】
第１テンションバー６１の第１テンション部６３は、好ましくは、良好なテンションを与えるために、円管部６２の直下に対して後方に保持する必要がある。そのため、第１テンションバー６１の一対の連結板６４の各々には、糊付機１本体の後脚部２２の後背面に当接する当接片６８を備える。
【００４１】
また、第２テンションバー６５は、第１テンションバー６１の段違いの円管部６２と同一軸線上に配される。このため、この位置で第２テンションバー６５と第１テンションバー６１とを固定するため、好ましくは、第１テンションバー６１の一対の連結板６４の対向する箇所に、第２テンションバー６５の第２テンション部６７を円管部６２と同一軸線上に保持させる掛止手段６９を備えればよい。
【００４２】
具体的な掛止手段６９としては、第２テンションバー６５の第２テンション部６７を円管部６２と同一軸線上に保持させる一対の掛止片を備え、第２テンションバー６５の一対の装着部６６の外方に前記掛止片の各々に掛合する掛合片を備えるようなものであればよい。クロスＣはこれら第１テンションバー６１で曲折され、第２テンションバー６５でも曲折されて、スリッター７に搬送される。
【００４３】
３．スリッター構造
図１及び図２に示す通り、スリッター７は、糊付機本体１の下部構体３の下部フレームの上部の後壁面に開口されたスリッター装着開口部５５内に装着される。スリッター７は後背面の中央部にガイド面部７２が配され、そのガイド面部７２の両端部には糊付機本体から駆動力を得た駆動軸７１で回動する左右一対の回転刃７６が各々の両端方向に摺動可能に配される。一対の回転刃７６は断面が円形の駆動軸７１を貫通する貫通丸孔を備えた各々カッターボックス７７内に収納されている。
【００４４】
スリッター７のガイド面部７２側には、このガイド面部７２上を搬送されるクロスをガイド面部７２に押し付けるテンションバー７４を支持するテンションバー支持具７３をスリッターの側壁に備える。このテンションバー支持具７３は、一端部にテンションバー７４が取付けられ、他端部にテンションバーの押し付け位置と解除位置との間を揺動する支点７５を備える。
【００４５】
スリッター７のガイド面部７２の側端部領域に各々回転刃７６を内部に備えたカッターボックス７７が内側外側方向に移動可能に備わっている。ガイド面部７２は、スリッターの上下に亘って形成され、その下端縁部（即ち、クロス搬送上流側縁部）と、上端縁部（即ち、クロス搬送下流側縁部）とは、クロスＣの搬送方向を曲折するための曲面部を各々有している。
【００４６】
図３〜図６に示す通り、カッターボックス７７内部の回転刃７６の駆動は、糊付機本体部１の一側壁に装着されるコントローラ内の駆動源からギアを介して得ている。コントローラが装着される側の糊付機本体部１のスリッター７の取付け壁面にギアの一部が突出され、このギアに噛合するようにスリッター７に駆動ギア（図示せず）が形成されている。この駆動ギアから変速ギアを介して、軸心が回動する駆動軸７１が、図に示す通り、左右のカッターボックス７７を貫通して配されている。
【００４７】
駆動軸７１は、カッターボックス７７の内部で回転刃７６が回転可能に軸支する。図３に示す通り、カッターボックス７７を固定する固定機構は、カッターボックス７７の側部で固定部材８１に挿通される固定ネジ８０を締め付けることにより、スリッター７の糊付機側壁面に形成されたスリット溝７０内に挿通される固定部材８１と、この固定部材８１をボックス７７本体部の対向壁面とでスリット溝７０の縁部とを挟み込んで固定する機構である。
【００４８】
固定部材８１はカッターボックス７７の全幅に亘る長さであるため、カッターボックス８１がしっかりとスリッター７本体に装着されるため、回転刃７６のブレが少ないスリッター７を得ることができる。
【００４９】
図４及び図７に示す通り、耳ガイドカバー７９の内部には、クロス裁断位置に、クロスを介した対向面側で回転刃７６の駆動軸７１と略平行に配された取付軸８３に回動自在に軸支された回転部材８２を備える。回転部材８２は押圧バネ８４と取付け座金８５とを介して取付軸８３に固定されている。尚、回転部材８２はベアリングを介して回動自在に取付軸８３に取付けられている。この回転部材８２は円筒状の構造である。また、回転部材８２の上面の平坦面部の一部が、裁断点を端部とした回転刃７６の周縁部との部分的な重なり領域を構成するように配置されている。回転部材８２の取付軸８３にはバネ８４が介されており、回転部材８２は当接した回転刃７６の刃部に付勢・押圧されている。
【００５０】
図７に示す通り、回転部材８２は、回転刃７６によるクロス裁断点Ａを端部とした回転刃７６の周縁部との部分的な重なり領域Ｂで回転刃７６を押圧する平坦面部と、回転刃７６のによる裁断点Ａに壁装材を導く周壁部とを備える。
【００５１】
この回転部材８２の平坦面部の回転刃７６の刃部に対する傾斜角度は３度以上１０度以下、具体的には３度となる。これにより、裁断されるクロスの裁断小口部に高い直線性及び平滑性を得ることができることは勿論のこと、厚手の織物クロスや繊維を不規則に表層に備えたクロスでも良好な裁断状態を得ることができる。また、取付軸８３自体を傾けて固定し、更にベアリングを介して回転部材と取付軸８３に軸支しているため、長期に亘って使用しても回転部材８２の平坦面部の回転刃７６の刃部に対する傾斜角度の変化が極力少なくなるという利点もある。
【００５２】
尚、回転部材８２は回転刃７６の径と比較して、１／３となっているため、押圧された回転刃７６の回転力によって、独自の駆動源を有さない回転部材８２を保持した取付軸８３が容易に回動することが可能となる。また、回転部材８２は、回転刃７６に当接する部分がセラミック製の砥材からなる。このため、使用に伴って回転刃７６の刃部を研ぐことになり、回転刃７６の長期にわたる使用が可能となる。
【００５３】
図５に示す通り、カッターボックス７７の内部には、回転刃７６の裁断位置に至る部分には押さえ部材８６が装着されており、クロスＣを回転刃７６方向へ押さえる。図６に示すとおり、回転刃７６は、カムクラッチ機構を備えた回転刃取付けボス８７を介して駆動軸７１に軸支されている。
【００５４】
図８に示す通り、ボス８７のカムクラッチ機構は、ａ図に示すような空転方向では、断面が円形の駆動軸７１の軸心を中心にして同心円状に側壁に並べられた多数のカム８８が駆動軸７１の回転を流す。ｂ図に示すようなトルク発生方向への回転に際しては、同じ断面形状を備えた多数のカム８８が同じように内輪側に立ち上がることにより、内輪の軸径が縮径することにより、駆動軸７１の回転が外輪に伝達する。この際、多数のカムの立ち上がりが、一種のチャックとして働き、軸心が回転軸と容易に一致するため、配置された回転刃の回転にブレがなくなる。
【００５５】
また、駆動軸７１は左右のカッターボックス７７の内側にある２つのブラケット７８部分で３つに分断可能であり、カッターボックス７７の交換の際には、これらブラケット７８部分で分割状態として交換すればよい。
【符号の説明】
【００５６】
１  …糊付機本体、
１５  …台座部、
２  …脚部、
２１  …前脚、
２２  …後脚、
２５  …クロス受けブラケット、
２６  …クロス芯棒、
２７  …脚部テンションバー保持部、
２８  …脚部テンションバー、
３  …下部構体、
３１  …糊付けローラ、
３２  …下ピンチローラ、
３３  …ドクターローラ、
３４  …均しローラ、
３９  …糊厚調整レバー、
４  …上部構体、
４１  …上ピンチローラ、
４２  …押さえローラ、
４３  …ドライブローラ、
４４  …取手、
５  …糊桶、
５１  …糊上げローラ、
５３  …ツメ、
５５  …スリッター装着開口部、
５８  …被支持部、
５９  …被掛止部、
６  …テンションバー群、
６１  …第１テンションバー、
６２  …円管部、
６３  …第１テンション部、
６４  …連結板、
６５  …第２テンションバー、
６６  …装着部、
６７  …第２テンション部、
６８  …当接片、
６９  …掛止手段、
７  …スリッター、
７０  …スリット溝、
７１  …駆動軸、
７２  …ガイド面部、
７３  …テンションバー支持具、
７４  …スリッターテンションバー、
７５  …支点、
７６  …回転刃、
７７  …カッターボックス、
７８  …ブラケット、
７９  …耳ガイドカバー、
８０  …固定ネジ、
８１  …固定部材、
８２  …回転部材、
８３  …取付軸、
８４  …押圧バネ、
８５  …取付け座金、
８６  …押さえ部材、
８７  …回転刃取付けボス、
８８  …カム
Ｃ  …壁装材（クロス）、
【図１】
0006029812.tif 000002
【図２】
0006029812.tif 000003
【図３】
0006029812.tif 000004
【図４】
0006029812.tif 000005
【図５】
0006029812.tif 000006
【図６】
0006029812.tif 000007
【図７】
0006029812.tif 000008
【図８】
0006029812.tif 000009